(57)【特許請求の範囲】
【請求項１】
電子機器を収容するための筐体であり、前記電子機器を取り付けるためのフレームと、前記フレームに接続し、かつ管理アプリケーションと通信するゲートウェイと、前記フレームに取り外し可能に取り付けられたドアと、前記ドアは複数のドア取付型電子機器を含み、前記ドア取付型電子機器の少なくとも１つは他の前記ドア取付型電子機器の少なくとも１つとは異なるインターフェースを必要とし、前記ドアに取り付けられたドアモジュールと、前記ドアモジュールは複数のインターフェースを提供し、前記複数のドア取付型電子機器はそれぞれが前記複数のインターフェースのうちの1つに接続され、及び前記ドアモジュールと前記ゲートウェイ間の通信リンクと、を備える前記筐体であり、前記通信リンクの少なくとも一部は単一の通信ケーブルから構成される、前記筐体。
【請求項２】
前記単一の通信ケーブルが、複数のツイストワイヤペア及びＲＪ４５コネクタを含む、請求項１に記載の前記筐体。
【請求項３】
前記通信リンクが中間機器を含み、前記ドアモジュールが前記単一の通信ケーブルを介して前記中間機器に接続される、請求項１に記載の前記筐体。
【請求項４】
前記単一の通信ケーブルが、複数のツイストワイヤペア及びＲＪ４５コネクタを含む、請求項３に記載の前記筐体。
【請求項５】
前記筐体がネットワークキャビネットである、請求項１に記載の前記筐体。
【請求項６】
前記ドアモジュールがマルチプレクサーを含み、前記マルチプレクサーが前記複数のドア取付型電子機器と前記ゲートウェイ間の通信を促進する、請求項１に記載の前記筐体。
【請求項７】
前記フレームに取り外し可能に取り付けられた第２ドアと、前記第２ドアが複数の第２ドア取付型電子機器を含み、前記第２ドア取付型電子機器の少なくとも１つが他の前記第２ドア取付型電子機器の少なくとも１つとは異なるインターフェースを必要とし、前記第２ドアに取り付けられた第２ドアモジュールと、前記第２ドアモジュールが複数の第２インターフェースを提供し、前記複数の第２ドア取付型電子機器はそれぞれが前記複数の第２インターフェースのうちの1つに接続され、及び前記第２ドアモジュールと前記ゲートウェイ間の通信リンクと、をさらに備え、前記第２通信リンクの少なくとも一部が単一の第２通信ケーブルから構成される、請求項１に記載の前記筐体。
【請求項８】
前記ドアモジュールがパワーオーバーイーサネット（登録商標）を介して電力を受ける、請求項１に記載の前記筐体。
【請求項９】
前記ドアモジュールが前記ドアモジュールに接続された外部パワーアダプターを介して電力を受ける、請求項１に記載の前記筐体。
【請求項１０】
フレーム及び取り外し可能に取り付けられたドアを有する筐体内部の環境的状況を監視する方法であり、前記筐体は電子機器を収容し、前記方法は、ゲートウェイを前記フレームに取り付けることと、前記ゲートウェイが管理アプリケーションと通信し、複数のドア取付型電子機器を供給することと、前記ドア取付型電子機器の少なくとも１つが他の前記ドア取付型電子機器の少なくとも１つとは異なるインターフェースを必要とし、ドアモジュールを前記ドアに取り付けることと、前記ドアモジュールが複数のインターフェースを持ち、前記複数のドア取付型電子機器のそれぞれを前記複数のインターフェースのうち１つと接続することと、前記ドアモジュールと前記ゲートウェイ間に通信リンクを供給することと、前記通信リンクの少なくとも一部は単一の通信ケーブルから構成され、及び前記複数のドア取付型電子機器の少なくともいくつかと前記管理アプリケーション間で電子データ通信することと、のステップを含む、前記方法。
【請求項１１】
前記単一の通信ケーブルが、複数のツイストワイヤペア及びＲＪ４５コネクタを含む、請求項1０に記載の前記方法。
【請求項１２】
前記通信リンクが中間機器を含み、前記ドアモジュールが前記単一の通信ケーブルを介して前記中間機器に接続される、請求項１０に記載の前記方法。
【請求項１３】
前記単一の通信ケーブルが、複数のツイストワイヤペア及びＲＪ４５コネクタを含む、請求項１２に記載の前記方法。
【請求項１４】
前記筐体がネットワークキャビネットである、請求項１０に記載の前記方法。
【請求項１５】
前記複数のドア取付型電子機器のうち少なくとも一部と前記管理アプリケーション間で電子データ通信する前記ステップが、前記複数のドア取付型電子機器の前記少なくともいくつかから得られたデータを多重化することと、及び前記ゲートウェイに向けて前記多重化されたデータを送信することと、のサブステップを含む、請求項１０に記載の前記方法。
【請求項１６】
筐体管理システムであり、管理アプリケーションと、電子機器を収容する筐体と、を備える筐体管理システムであり、前記筐体は、前記電子機器を取り付けるためのフレームと、前記フレームに接続し、かつ前記管理アプリケーションと通信するゲートウェイと、前記フレームに取り外し可能に取り付けられたドアと、前記ドアは複数のドア取付型電子機器を含み、前記ドア取付型電子機器の少なくとも１つは他の前記ドア取付型電子機器の少なくとも１つとは異なるインターフェースを必要とし、前記ドアに取り付けられたドアモジュールと、前記ドアモジュールは複数のインターフェースを提供し、前記複数のドア取付型電子機器はそれぞれが前記複数のインターフェースのうちの1つに接続され、及び前記ドアモジュールと前記ゲートウェイ間の通信リンクと、を備え、前記通信リンクの少なくとも一部は単一の通信ケーブルのみを必要とする、前記筐体管理システム。
【請求項１７】
前記単一の通信ケーブルが、複数のツイストワイヤペア及びＲＪ４５コネクタを含む、請求項１６に記載の前記筐体管理システム。
【請求項１８】
前記通信リンクが中間機器を含み、前記ドアモジュールが前記単一の通信ケーブルを介して前記中間機器に接続される、請求項１６に記載の前記筐体管理システム。
【請求項１９】
前記ドアモジュールがパワーオーバーイーサネット（登録商標）及び前記ドアモジュールに接続された外部パワーアダプターの少なくとも１つを介して電力を受ける、請求項１６に記載の前記筐体管理システム。
【請求項２０】
前記ドアモジュールがマルチプレクサーを含み、前記マルチプレクサーが前記複数のドア取付型電子機器と前記ゲートウェイ間の通信を促進する、請求項１６に記載の前記筐体管理システム。
【請求項２１】
電子機器を収容するための筐体であり、前記電子機器を取り付けるためのフレームと、前記フレームに接続し、かつ管理アプリケーションと通信するゲートウェイと、前記フレームに取り外し可能に取り付けられたドアと、前記ドアは複数のドア取付型電子機器を含み、前記ドア取付型電子機器の少なくとも１つは他の前記ドア取付型電子機器の少なくとも１つとは異なるインターフェースを必要とし、前記ドアに取り付けられたドアモジュールと、前記ドアモジュールは複数のインターフェースを提供し、前記複数のドア取付型電子機器はそれぞれが前記複数のインターフェースのうちの1つに接続され、及び前記ドアモジュールと前記ゲートウェイ間の通信リンクと、を備え、前記通信リンクの少なくとも一部は無線接続で構成される、前記筐体。
【請求項２２】
前記ドアがさらに、ポストを持つヒンジを含み、前記フレームがそこを通じて前記ポストを受けるよう構成されたブッシングを含み、前記フレームがさらに前記ポストを支持するよう構成されたポスト支持部を含み、前記ヒンジが係合した状態と遊離した状態を切り替え可能であり、前記係合した状態では前記ポストが前記ブッシングを通じて受けられ、かつ前記ポスト支持部によって支持されるようになり、前記遊離した状態では、前記ポストが前記ブッシングから離れ、かつ前記ポスト支持部によって支持されていないようになり、前記ドア取付型電子機器及び／または前記ドアモジュールの少なくとも１つに動力を与えるための電力が前記ポスト支持部及び前記ポストを通り抜ける、請求項２１に記載の前記筐体。
【請求項２３】
前記ポストが、ポスト電力導体を含み、前記ポスト電力導体が前記ポスト内に少なくとも部分的に配置され、前記ポスト支持部がポスト支持部電力導体を含み、前記ポスト支持電力導体が前記ポスト支持部内に少なくとも部分的に配置され、前記ヒンジが前記係合状態にある時に前記ポスト電力導体と前記ポスト支持部電力導体が互いに接触するようになり、前記ヒンジが前記遊離状態にある時に前記ポスト電力導体と前記ポスト支持部電力導体が遊離する、請求項２２に記載の前記筐体。
【請求項２４】
前記ポスト電力導体が、前記ポスト内に配置されたバネを介して前記ポスト支持部電力導体に向かってバイアスされる、請求項２３に記載の前記筐体。
【請求項２５】
前記ポスト電力導体が前記ポストから電気的に絶縁され、前記ポスト支持部電力導体が前記ポスト支持部から絶縁される、請求項２３に記載の前記筐体。
【請求項２６】
前記電力が前記ポスト電力導体に接続されたパワーワイヤを介して受けられる、請求項２３に記載の前記筐体。
【請求項２７】
前記ドアが第１垂直フレーム端の一部に沿って、かつ第２垂直フレーム端の一部に沿って前記フレームに取り外し可能に取り付けられ、前記第１垂直フレーム端が第１電気フレーム接点の少なくとも１つを含み、かつ前記第２垂直フレーム端が第２電気フレーム接点の少なくとも１つを含み、前記ドアがさらに少なくとも１つの第１電気フレーム接点に電気的に接続するための少なくとも１つの第１ドア接点及び少なくとも１つの第２電気フレーム接点に電気的に接続するための少なくとも１つの第２ドア接点を含み、かつ前記ドア取付型電子機器及び／または前記ドアモジュールの少なくとも１つに動力を与えるための電力が、前記少なくとも１つの第１ドア接点及び前記少なくとも１つの第２ドア接点のうちの少なくとも１つを通り抜ける、請求項２１に記載の前記筐体。
【発明の詳細な説明】
【技術分野】
【０００１】
少なくとも本発明のいくつかの実施形態では、概して筐体構造物の分野に関し、より詳細には、取り外し可能な壁（例えば、ドア）を含み、そこに取り付けられた電子機器を有する筐体の構造物に関する。
【背景技術】
【０００２】
データセンターのような環境では、特定の筐体に収められる必要がある電子機器がますます装着されるようになっている。例えば、熱の問題またはネットワーク機器へのセキュリティ向上の必要性は、しばしばこのネットワーク機器（例えば、サーバー、スイッチ、パッチパネル等）が特定の方法で気流を送り込むかまたは未許可の人物による物理的アクセスを制限するネットワークキャビネットに配置されることが求められる。これに対する一般的な手法は、内部気流に影響を与えるかまたは機器内部への物理的セキュリティを提供するよう設計することができる動作可能なドアを有するネットワークキャビネットを提供することである。
【０００３】
これらのドアを適切に動作できるように、様々なセンサー、モーター、ドア、ロック、ディスプレイ、または他の電子機器がその中に組み込まれてもよく、かつドア取付型電子機器といくつかの管理ソフトウェア／ハードウェア間の通信リンクが供給される必要がある。いくつかのケースではドア取付型機器はそれぞれがゲートウェイに無線接続されていてもよく、この接続方法は、確実性、セキュリティ、及び／またはインストールの問題のせいで常に好ましいものではない場合がある。さらに、利用可能な電力を一定の必要性は、無線接続方式の実行への課題を引き起こす場合がある。逆に言うと、有線リンクが、ドア取付型電子機器とその制御／管理／ソフトウェア／ハードウェア間に供給されてもよい。そういった優先接続は一般的に、各個別のドア取付型電子機器とキャビネット内部に配置されたゲートウェイの間にリンクを含む。しかしながら、そういった優先接続には欠点もある。
【０００４】
１つの実施例を見ると、ネットワークキャビネットへのネットワーク機器の取り付けまたはネットワークキャビネットからのネットワーク機器の取り外しは、キャビネットドアの一時的な取り外し及びその後の再取り付けが必要な場合がある。この課題を達成するためには、基本的にネットワークキャビネット内のゲートウェイに接続された全てのドア取付型電子機器がそこから接続解除され、かつその後ドアが再取り付けされた時に再接続される必要がある。一般的なネットワークキャビネットの前部ドアでは、１０以上もの異なる電子機器の接続を解除し、その後再接続される必要がある場合がある。そういった数多くの接続解除及び再接続では、機器の１つを接続解除し忘れたこと及び／または不正な再接続によるコネクタ損傷、機器損傷の可能性が非常に増加している。
【０００５】
よって、電子機器が取り付けられた筐体ドアの取り外し及び／または取り付けを簡素化する機器、システム、及び方法への必要性が存在する。
【発明の概要】
【０００６】
従って、本発明の少なくともいくつかの実施形態は、電子機器が取り付けられた筐体ドアの取り外し及び／または取り付けを簡素化する機器、システム、及び方法に関する。
【課題を解決するための手段】
【０００７】
実施形態では、本発明は電子機器を収容するための筐体である。筐体は、電子機器を取り付けるためのフレームを含む。筐体はさらに、フレームに接続し、かつ管理アプリケーションと通信するゲートウェイを含む。筐体はさらに、フレームに取り外し可能に取り付けられたドアを含み、ドアは、複数のドア取付型電子機器を含み、ドア取付型電子機器の少なくとも１つは、他のドア取付型電子機器の少なくとも１つとは異なるインターフェースを必要とする。筐体はさらに、ドアに取り付けられたドアモジュールを含み、ドアモジュールは、複数のインターフェースを提供し、複数のドア取付型電子機器はそれぞれが複数のインターフェースのうちの1つに接続される。筐体はさらに、ドアモジュールとゲートウェイ間の通信リンクを含み、通信リンクの少なくとも一部は単一の通信ケーブルから構成される。
【０００８】
他の実施形態では、本発明は、フレーム及び取り外し可能に取り付けられたドアを有し、電子機器を収容する筐体内部の環境的状態を監視する方法である。方法は以下の、（a）管理アプリケーションと通信するゲートウェイをフレームに取り付けること、（ｂ）複数のドア取付型電子機器を提供し、ドア取付型電子機器の少なくとも１つは他のドア取付型電子機器のうちの１つとは異なるインターフェースを必要とすること、（ｃ）複数のインターフェースを持つドアモジュールをドアに取り付けること、（ｄ）複数のドア取付型電子機器のそれぞれを複数のインターフェースのうちの１つと接続すること、（ｅ）ドアモジュールとゲートウェイ間に通信リンクを供給し、通信リンクの少なくとも一部は単一の通信ケーブルから構成されること、及び（ｆ）複数のドア取付型電子機器のうち少なくとも一部と管理アプリケーション間で電子データ通信をすること、のステップを含む。
【０００９】
さらに他の実施形態では、本発明は、管理アプリケーション及び電子機器を収容する筐体を含む筐体管理システムである。筐体は、電子機器を取り付けるためのフレームを含む。筐体はさらに、フレームに接続し、かつ管理アプリケーションと通信するゲートウェイを含む。筐体はさらに、フレームに取り外し可能に取り付けられたドアを含み、ドアは、複数のドア取付型電子機器を含み、ドア取付型電子機器の少なくとも１つは、他のドア取付型電子機器の少なくとも１つとは異なるインターフェースを必要とする。筐体はさらに、ドアに取り付けられたドアモジュールを含み、ドアモジュールは、複数のインターフェースを提供し、複数のドア取付型電子機器はそれぞれが複数のインターフェースのうちの1つに接続される。筐体はさらに、ドアモジュールとゲートウェイ間の通信リンクを含み、通信リンクの少なくとも一部は単一の通信ケーブルのみを必要とする。
【００１０】
さらに他の実施形態では、本発明は電子機器を収容するための筐体である。筐体は、電子機器を取り付けるためのフレームを含む。筐体はさらに、フレームに接続し、かつ管理アプリケーションと通信するゲートウェイを含む。筐体はさらに、フレームに取り外し可能に取り付けられたドアを含み、ドアは、複数のドア取付型電子機器を含み、ドア取付型電子機器の少なくとも１つは、他のドア取付型電子機器の少なくとも１つとは異なるインターフェースを必要とする。筐体はさらに、ドアに取り付けられたドアモジュールを含み、ドアモジュールは、複数のインターフェースを提供し、複数のドア取付型電子機器はそれぞれが複数のインターフェースのうちの1つに接続される。筐体はさらに、ドアモジュールとゲートウェイ間の通信リンクを含み、通信リンクの少なくとも一部は無線接続で構成される。
【００１１】
この実施形態の変化形では、ドアはさらに、ポストを有するヒンジを含み、フレームはそこを通じてポストを受けるよう構成されたブッシングを含み、フレームはさらにポストを支持するよう構成されたポスト支持部を含み、ヒンジは係合した状態と遊離した状態を切り替え可能であり、係合した状態では、ポストがブッシングを通じて受けられ、かつポスト支持部によって支持されるようになり、遊離した状態では、ポストがブッシングから離れ、かつポスト支持部によって支持されていないようになり、ドア取付型電子機器及び／またはドアモジュールの少なくとも１つに動力を与えるための電力は、ポスト支持部及びポストを通り抜ける。
【００１２】
実施形態の他の変化形では、ドアは第１垂直フレーム端の一部に沿って、かつ第２垂直フレーム端の一部に沿ってフレームに取り外し可能に取り付けられ、第１垂直フレーム端は第１電気フレーム接点の少なくとも１つを含み、かつ第２垂直フレーム端は第２電気フレーム接点の少なくとも１つを含み、ドアはさらに少なくとも１つの第１電気フレーム接点に電気的に接続するための少なくとも１つの第１ドア接点及び少なくとも１つの第２電気フレーム接点に電気的に接続するための少なくとも１つの第２ドア接点を含み、かつドア取付型電子機器及び／またはドアモジュールの少なくとも１つに動力を与えるための電力は、少なくとも１つの第１ドア接点及び少なくとも１つの第２ドア接点のうちの少なくとも１つを通り抜ける。
【００１３】
本発明のこれらの、及び他の特徴、態様、及び利点は、以下の図面、記述、及び以下に続くあらゆる特許請求の範囲を参照してより良く理解されるであろう。
【図面の簡単な説明】
【００１４】
【図１】キャビネットの前部ドアにおける後側を示すネットワークキャビネットの実施形態を説明する。
【図２】キャビネットの前部ドアにおける前側を示す図１のキャビネットを説明する。
【図３】ドアモジュールの実施形態を説明する。
【図４】図３のドアモジュールの分解図を説明する。
【図５ＡＡ】ドアモジュールの実施形態に採用される回路図を説明する。
【図５ＡＢ】ドアモジュールの実施形態に採用される回路図を説明する。
【図５ＡＣ】ドアモジュールの実施形態に採用される回路図を説明する。
【図５ＡＤ】ドアモジュールの実施形態に採用される回路図を説明する。
【図５ＡＥ】ドアモジュールの実施形態に採用される回路図を説明する。
【図５ＡＦ】ドアモジュールの実施形態に採用される回路図を説明する。
【図５ＡＧ】ドアモジュールの実施形態に採用される回路図を説明する。
【図５ＢＡ】ドアモジュールの実施形態に採用される回路図を説明する。
【図５ＢＢ】ドアモジュールの実施形態に採用される回路図を説明する。
【図５ＢＣ】ドアモジュールの実施形態に採用される回路図を説明する。
【図５ＢＤ】ドアモジュールの実施形態に採用される回路図を説明する。
【図５ＢＥ】ドアモジュールの実施形態に採用される回路図を説明する。
【図５ＢＦ】ドアモジュールの実施形態に採用される回路図を説明する。
【図５ＣＡ】ドアモジュールの実施形態に採用される回路図を説明する。
【図５ＣＢ】ドアモジュールの実施形態に採用される回路図を説明する。
【図５ＣＣ】ドアモジュールの実施形態に採用される回路図を説明する。
【図５ＣＤ】ドアモジュールの実施形態に採用される回路図を説明する。
【図５ＣＥ】ドアモジュールの実施形態に採用される回路図を説明する。
【図５ＣＦ】ドアモジュールの実施形態に採用される回路図を説明する。
【図５Ｄ】ドアモジュールの実施形態に採用される回路図を説明する。
【図５ＥＡ】ドアモジュールの実施形態に採用される回路図を説明する。
【図５ＥＢ】ドアモジュールの実施形態に採用される回路図を説明する。
【図５ＦＡ】ドアモジュールの実施形態に採用される回路図を説明する。
【図５ＦＢ】ドアモジュールの実施形態に採用される回路図を説明する。
【図５ＦＣ】ドアモジュールの実施形態に採用される回路図を説明する。
【図５ＦＤ】ドアモジュールの実施形態に採用される回路図を説明する。
【図５ＦＥ】ドアモジュールの実施形態に採用される回路図を説明する。
【図５ＦＦ】ドアモジュールの実施形態に採用される回路図を説明する。
【図５ＦＧ】ドアモジュールの実施形態に採用される回路図を説明する。
【図５ＧＡ】ドアモジュールの実施形態に採用される回路図を説明する。
【図５ＧＢ】ドアモジュールの実施形態に採用される回路図を説明する。
【図５ＨＡ】ドアモジュールの実施形態に採用される回路図を説明する。
【図５ＨＢ】ドアモジュールの実施形態に採用される回路図を説明する。
【図５ＨＣ】ドアモジュールの実施形態に採用される回路図を説明する。
【図５ＨＤ】ドアモジュールの実施形態に採用される回路図を説明する。
【図５ＨＥ】ドアモジュールの実施形態に採用される回路図を説明する。
【図６】本発明の実施形態に従うシステムブロック図を説明する。
【図７】本発明の実施形態に従うシステムブロック図を説明する。
【図８】本発明の実施形態に従うシステムブロック図を説明する。
【図９】本発明の実施形態に従うシステムブロック図を説明する。
【図１０】キャビネットの前部ドアにおける後側を示すネットワークキャビネットの実施形態を説明する。
【図１１】キャビネットの前部ドアにおける前側を示す図１０のキャビネットを説明する。
【図１２】本発明の実施形態に従うネットワークキャビネットを説明する。
【図１３Ａ】導電ヒンジ配列を説明する。
【図１３Ｂ】導電ヒンジ配列を説明する。
【図１３Ｃ】導電ヒンジ配列を説明する。
【図１３Ｄ】導電ヒンジ配列を説明する。
【図１３Ｅ】導電ヒンジ配列を説明する。
【図１３Ｆ】導電ヒンジ配列を説明する。
【図１４】本発明の実施形態に従うネットワークキャビネットを説明する。
【発明を実施するための形態】
【００１５】
本発明の実施形態は、以下の教示に従って実現されてもよく、かつ様々な修正及び変更が、本発明の広範囲における趣旨及び範囲から逸脱することなく以下の教示において行われ得ることが明らかであるべきであろう。さらに、本明細書に用いられるように、「ドア取付型電子機器（複数可）」という言葉は、本明細書にさらに記述されるようなドアモジュール１７０、４７０を例外として、ドアに取り付けられるあらゆる電子機器（複数可）を指すものである。
【００１６】
図１及び２は、本発明の例示的実施態様を説明する。電子機器１０５及びゲートウェイ１１０を収容するネットワークキャビネット１００が例示的実施態様に含まれる。ゲートウェイ１１０は、遠隔システムで実行することができる資産管理アプリケーション１１２に接続でき、かつネットワークキャビネット１００の一群を監視し管理するよう設計された企業レベルアプリケーションとして機能できる。資産管理アプリケーション１１２の実施例は、米国特許第８，３０６，９３５（Ｄｏｏｒｈｙ  ｅｔ  ａｌ．）、「Ｐｈｙｓｉｃａｌ  Ｉｎｆｒａｓｔｒｕｃｔｕｒｅ  Ｍａｎａｇｅｍｅｎｔ  Ｓｙｓｔｅｍ」に見られ、その全体が参照により本明細書に取り込まれるが、これに限定されるものではない。ネットワークキャビネット１００はさらに、キャビネット１００のフレーム１２０に取り外し可能に取り付けられた前部ドア１１５を含む。電子機器１０５の取り付け及び／または取り外しを補助するために、前部ドア１１５は電子機器１０５の進入／脱出をより容易に可能にしてフレーム１２０から取り外されてもよい。
【００１７】
前部ドア１１５がキャビネット１００の不可欠な部分として機能できるよう、様々な電子機器がそこに取り付けられている。キャビネット１００への未許可のアクセスを制限するために、ドア１１５は電子ドアロック機構１２５を含む。ドアロックは、ロック／ロック解除コマンドを遠隔的に開始すること及び／またはキャビネット１００と直接的な相互作用によってユーザーが認証手続きを行うことで起動できる。例えば、ユーザーは、キーパッド１３０上で、またはタッチスクリーンディスプレイ１３５上でアクセスコードを入力してもよく、ユーザーはドアロック機構１２５を起動するのに必要な認証情報を提供するためにカード／バッジリーダー１４０を使用してもよいか、またはユーザーがカード／バッジを提示し、かつ例えば、システムへのアクセスを可能にするよう認証するためにキーパッド上にＰＩＮコードを入力する必要がある場合には多元的認証スキームが用いられてもよい。
【００１８】
前部ドア１１５はさらに、キャビネット１００内の環境的特性を管理するよう、かつ電子機器１０５が確実に安全な状態で動作できるよう、採用できる複数のセンサーを含む。図１及び２に説明される実施形態では、圧力センサー１５０及び湿度センサー１５５と併せて３つの温度センサー１４５が、ドア１１５の内部における様々な位置にわたって配置される。これらのセンサーの数／タイプ／位置は、設計または実施態様の必要性に基づいて可変できる。さらに、あらゆる他の適切な電子機器がドアの内部または外部に配置されてもよい。これらは、ライト、照明ロゴ（複数可）、ドアロック（複数可）１５７、ドア接触センサー（複数可）等を含むことができるが、これらに限定されるものではない。
【００１９】
ドア１１５に取り付けることができる様々な電子機器の完全な機能性を有効にするために、通信リンク１６０は、それらの機器とコンピューター１６５の少なくとも一部で実行されるいくつかのタイプの資産／インフラ管理アプリケーション間に提供される。資産／インフラ管理アプリケーションは、スタンドアロン型アプリケーションであってもよいか、またはデータセンターを管理するのに用いられるような企業レベル管理ソフトウェアの構成要素であってもよい。通信リンク１６０は、様々な電子機器から得られたデータを統合し、かつドア取付型電子機器と資産管理アプリケーション間の全ての通信、及びゲートウェイとドア取付型電子機器間の通信リンク（複数可）を円滑にするゲートウェイ１１０をその一部として含む。
【００２０】
各ドア取付型電子機器とゲートウェイ間の個別のワイヤを回避するために、ドアモジュール１７０がドア１１５に供給される。図３により詳細に示されるように、ドアモジュール１７０は、様々なドア取付型電子機器と接続するよう設計された複数の入力／出力ポートを含む。さらに、ドアモジュール１７０は、その機能性の特定の態様をカスタマイズするためのビルトイン型のセンサー及びスイッチを有することができる。例えば、図３に示される実施形態では、ドアモジュール１７０は、ＨＩＤ（ヒューマンインターフェース機器）／キーパッドセレクタスイッチ１７５、温度センサーポート１８０、標準センサーポート１８５、リモートディスプレイポート１９０、ドアロック制御ポート１９５、カードリーダーポート２００、ＨＩＤリーダーポート２０５、キーパッドポート２１０、ドア接触ポート２１５、照明アセンブリポート２２０、及びゲートウェイアップリンク／ダウンリンクポート２２５を含む。ドアモジュール１７０の使用で、全ての望ましいドア取付型電子機器がドアモジュール１７０のゲートウェイアップリンク／ダウンリンク２２５とゲートウェイ１１０間に供給される単一のケーブル２３０で単一のドア取付型ドアモジュール１７０に接続できる。
【００２１】
この構成の利点は、ドア１１５が取り外される必要がある時に明らかとなる。その場合、各ドア取付型電子機器をゲートウェイ１１０から接続解除する必要がなく、ドアモジュール１７０とドア取付型電子機器間の全ての接続をそのままに残しつつ１本のケーブル２３０だけを接続解除する必要がある。ドア１１５がフレーム１２０に取り付けられる時に同様の利点がさらに存在する。各ドア取付型電子機器をゲートウェイに個別に接続する必要がなく、１本のケーブルのみが取り付けられる必要がある。ドア１１５に取り付けられた構成要素とゲートウェイ１１０間の接続／接続解除の回数を制限することは、再接続の際に起こり得るエラー回数を低減し、ドア取付型機器とゲートウェイ間の通信リンクの安定性を向上し、及び／または、必要性が生じる時にドア１１５の取り外し及び再取り付けに費やされる時間を削減してもよい。
【００２２】
図４は、ドアモジュール１７０の分解図を示す。これまでに記述された実施形態では、ドアモジュールの筐体２３２は、全ての必要な電子機器及び入力／出力ポートを有するプリント回路基板（ＰＣＢ）２４０を収容する２つの半体２３５から構成される。ドアモジュールの設計に採用される電子図の例示的セットは、図５Ａ〜５Ｈに示される。特に、図５ＡＡ〜５ＡＧは、図５ＢＡ〜５ＢＦにより詳細に示され、マイクロコントローラー構成要素のための概略図を表す領域２４５を持つドアモジュールＰＣＢのためのマスター図を説明し、図５ＣＡ〜５ＣＦにより詳細に示される領域２５０はセンサー入力のための概略図を表し、図５Ｄにより詳細に示される領域２５５はＲＳ４８５インターフェースのための概略図を表し、図５ＥＡ〜５ＥＢにより詳細に示される領域２６０はＲＳ２３２ディスプレイポートのための概略図を表し、図５ＦＡ〜５ＦＧにより詳細に示される領域２６５はＨＩＤインターフェースのための概略図を表し、図５ＧＡ〜５ＧＢにより詳細に示される領域２７０は電力供給のための概略図を表し、図５ＨＡ〜５ＨＥにより詳細に示される領域２７３はマトリックスキーパッド接続のための概略図を表す。
【００２３】
図６は、前述の実施形態へのさらなる修正を説明し、第２ドアモジュール２７５は、ネットワークキャビネット１００の後部ドア２８０に取り付けられる。第２ドアモジュール２７５は、第１ドアモジュール１７０と同じ方法で用いられ、かつゲートウェイ１１０に接続され、ゲートウェイ１１０から各ドア取付型電子機器を個別に接続解除する必要なく後部ドア２８０を取り外し及び／または再取り付けすることができる。
【００２４】
図７は、本発明の代替的実施形態を説明する。このケースでは、ドアモジュール１７０からゲートウェイへの直接的単一ケーブル接続２３０を供給するよりも、中間機器がドアモジュールとゲートウェイ間に配置される。中間機器２８５は、フレーム１２０に取り付けられ、かつパッチパネル、筐体により収容されるＰＣＢ、または関連技術における当業者が把握できるあらゆる他の適切な設計の形状を取ることができる。ドアとキャビネットのフレーム間に延びる１本の通信ケーブルのみを有する特徴を残すよう、ドアモジュール１７０は単一のケーブル２９０で中間機器２８５にリンクする。これまでに記述された実施形態では、ケーブル２９０はＲＪ４５ケーブルとして示される一方、代替的実施形態（実施例としては図９を参照）は、他のタイプの通信ケーブルを使用することができる。図７の実施形態は、ゲートウェイ２９５がドアモジュール１７０によって生成された多重化信号を逆多重化できないような状況においてより利点があってもよい。これを解決するために、中間機器２８５は、本来的な多重化信号を抽出し、かつインターフェース３００及び各ケーブル３０３の自己セットを介して適切なゲートウェイ入力へと向かわせる逆多重化ハードウェア／ソフトウェアを含むことができる。ゲートウェイ２９５からドアモジュール１７０へと送信される信号に関して同様のことが言える。ゲートウェイ２９５が信号ケーブルを介して送信するための多重化信号を多重化できない状況では、中間機器２８５は、ケーブル２９０を介して多重化信号を送信する前に多重化を操作する。
【００２５】
図８は、第１中間機器２８５及び第２中間機器３０５と併せて第１ドアモジュール１７０及び第２ドアモジュール２７５を採用する時に、図７の実施形態が前部ドア１１５及び後部ドア２８０の両方でいかに用いられることができるかを説明する。第２中間機器３０５は、第１中間機器２８５と同様の／類似の方法で設計されてもよく、かつキャビネットフレーム１２０における利便性の高い位置（例えば、キャビネットフレームの後部）で取り付けることができる。
【００２６】
本発明の他の実施形態は、図９に示される。前述の実施形態ではドアモジュール１７０が、ドア取付型電子機器とゲートウェイ間で通信される信号がその距離の少なくとも一部で単一のツイストペア通信ケーブルを介して送信されることを可能にするハードウェア／ソフトウェアを含んだことに対し、図９に示される実施形態はパススルー構成に依存する。信号を多重化及び逆多重化するというよりも、ドアモジュール３１０はコネクタ３１５とドア取付型電子機器に接続する様々なポート間で送信されるあらゆる信号を調整しない。中間機器３２５に関しても同様であり、コネクタ３３０と様々なポート３３５間で送信される信号は調整されない。コネクタ３１５、３３０は、Ｄ型シリアルコネクタであってもよく、または単一のＤ型シリアルケーブル３４０を介して接続されてもよい。電子機器の数及び複雑性を抑えることは、確実性を向上させ、コストを削減する場合がある。
【００２７】
さらに他の構成では、ドアモジュール３１０及び中間機器３２５は、いくつかのドア取付型電子機器のための多重化／逆多重化の使用をいくつかの他のドア取付型電子機器のためのストレートスルー通信と組み合わせてもよい。
【００２８】
ここで図１０及び１１を参照して、本発明のさらに他の実施形態に従って構成されるネットワークキャビネット４００が示される。キャビネット１００と同様に、キャビネット４００は、ゲートウェイ４１０に沿って電子機器４０５を収容し、かつキャビネットのフレーム４２０に取り外し可能に取り付けられたドア４１５を含む。ドア４１５は、電子ドアロック機構４２５、キーパッド４３０、タッチスクリーンディスプレイ４３５、カード／バッジリーダー４４０、温度センサー４４５、圧力センサー４５０、及び湿度センサー４５５を含むそこに取り付けられた複数の電子機器を有するが、これらに限定はされない。
【００２９】
さらに、ドア４１５に取り付けられるのはドアモジュール４７０である。ドアモジュール４７０の構成は、ドアモジュール１７０のものと類似していてもよい。同様に、ドアモジュール４７０とドア取付型電子機器間の相互作用は、ドアモジュール１７０のものと類似していてもよく、各ドア取付型電子機器とドアモジュール４７０間に有線接続が供給される。しかしながら、図１及び２に示される実施形態とは違い、ゲートウェイへのドアモジュールの通信リンクは、ケーブル２３０の必要性を本質的に排除する無線構成要素４３０を含む。
【００３０】
図１０及び１１に示される実施形態の利点は、全てのドア取付型電子機器とドアモジュール４７０間の有線リンクを同時に維持しながら、あらゆる通信ケーブルを手動で接続解除／接続する必要なく、ドア４１５がキャビネットフレーム４２０から取り外し／キャビネットフレーム４２０へと取り付けられてもよいことである。この構成は、有線のドア取付型電子機器が好まれ、さらに比較的簡素なドアの取り外し／取り付けソリューションが望まれる場合、特に好ましいものとなり得る。
【００３１】
１つの構成では、直接的無線通信リンクは、ドアモジュール４７０とゲートウェイ４１０間で確立されてもよい。あるいは、図１２に示されるように、中間機器４８５は、その通信リンクの一部であってもよい。中間機器４８５は、ドアモジュール４７０と無線で通信し、かつゲートウェイ４１０と優先接続（複数可）４９０を介して通信する無線トランシーバーとして機能してもよい。中間機器４８５は、ゲートウェイに無線通信能力がないような状況で必須となる場合がある。ドアモジュール４７０と対応するハードウェア（例えば、ゲートウェイ、中間機器等）間の無線通信は、例えば、８０２．１１またはブルートゥース（登録商標）準拠のハードウェアを通じて実行されてもよい。
【００３２】
図１０及び１１の実施形態で、ドア取付型電子機器及びドアモジュールが必要な電力をバッテリーに依存し得るが、他の構成が望ましい場合がある。図１３Ａ〜１３Ｆは、ドア取付型電子機器及び／またはドアモジュールが１つ以上のヒンジ５０５を通じて供給される電気接続を介して電力供給されるという、キャビネット５００の実施形態を示す。図１３Ｂ〜１３Ｄにおいてより詳細に示されるように、ドア５１５は、ヒンジ５０５によってキャビネット５００のフレーム５２０に接続される。より詳細には、ドア５１５に取り付けられたヒンジ５０５は、拡張した／係合した位置で示されている可動ポスト５２５を含む。ポスト５２５は、ブッシング５３０を通じて延び、かつポスト支持部５３５に載置し、その両方はフレームのエレメントである。本明細書に用いられるように、「ｂｕｓｈｉｎｇ（ブッシング）」という用語は、あらゆるタイプのスリーブ（当業者に一般的に理解されるような）及び述べられた目的に適し得るあらゆるタイプの開口（例えば、フレームの一部における穴）の両方を指す。この構成は、ドア５１５が、ヒンジがある全ての角で支持され（その底部で）、かつ枢動可能に固定されることを可能にする。
【００３３】
フレームからドアへと電源を利用可能にするよう、相補型導電がポスト５２５及びポスト支持部５３５に供給される。これまでに記述された実施形態では、相補型導電は、ポスト５２５内に配置されたオス型ピン５４０及びポスト支持部５３５内に配置されたメス型ソケット５４５として示される。ピン５４０及びソケット５４５は両方とも、ポスト及びポスト支持筐体構成要素のそれぞれから絶縁することができ、かつ様々な電圧及びアンペア数で電気導通してもよい。１つの実施例では、電圧は、４８ＶＤＣ以下であり、かつアンペア数は１Ａｍｐ以下である。ソケット５４５は、ワイヤ５４７を介して電源に接続することができ、ピン５４０はドア取付型電子機器、ドアモジュール、及び／またはワイヤ５４８を介してドアの電子部品（ドアモジュールを含む）のいずれかに直接動力を送るドアに取り付けられた電力調節／分配回路のいずれかに接続することができる。
【００３４】
安定した電気的接続を確保するために、ピン５４０はポスト５２５の内部に取り付けられたバネ５４９を介してソケット５４５に向かってバイアスされ得る。この構成において、障害が生じた際にピンがポストに押し戻される可能性があるので、ピンの設計される長さはソケット５４５の深さより長い。これは、ピンに損傷を生じさせることなくピンがソケットを完全に突き抜け、ソケットの端部に達した際に引っ込むことを可能にさせる。これは、ドア５１５がキャビネット５００から取り外され、かつポスト５２５がピン５４０と一緒に床に載置される位置に配置される場合、利点があることがさらにわかる。ピン５４０がポスト５２５へと引っ込むことを可能にすることは、ドア５１５の重量によって生じる損傷を防ぎ得る。
【００３５】
図１３Ｅ及び１３Ｆは、フレーム５２０から遊離したヒンジ５０５を説明する。この位置では、ピン５４０に沿うポスト５２５は、ポスト支持部５３５及びソケット５４５から離れて移動する。ポスト及びピンは、ブッシング５３０を十分に離れるよう引っ込み、ヒンジ５０５が取り付けられているドア５１５のそれぞれの部分がフレーム５２０によって抑えられないようになる。同時に、ピン５４０とソケット５４５の電気的結合は解除される。
【００３６】
図１３Ａ〜１３Ｆに示される構成は、ドア５１５とフレーム５２０間に、容易に接続解除可能な有線パワーリンクを供給する。パワーリンクの接続及び接続解除は、それぞれ、ヒンジ５０５のロック／係合及びロック解除／遊離で統合的にリンクされる。これは、ユーザーがドア５１５をオープン／クローズ／取り付け／取り外しに必要な動作で途切れない電力接続性を行うかまたは解除することを可能にする。結果、図１３Ａ〜１３Ｆに示される電力供給配置が無線ドアモジュール５７０と組み合わされる時（図１３Ａ参照）、キャビネットドアは、追加のワイヤ及び／またはケーブルに手動接続解除または接続する必要なくキャビネットフレームから取り外されるかまたはキャビネットフレームへと取り付けられてもよい。言い換えると、ドアは、ドアヒンジを係合するかまたは遊離するだけで取り外されたり取り付けられたりしてもよい。
【００３７】
図１３Ａ〜１３Ｆの構成は、両側から開けることができるデュアルヒンジドア（図１３Ａ参照）を用いた時にさらに利点があってもよい。これらの設計は、ドアが左右いずれかから揺れて開き得ることによってドアとフレーム間のケーブルの１本がキャビネットの片側に沿って走ることを防ぐ。よって、左右両側のヒンジ（複数可）内に配置されたパワーリンクは、ドアのどの側がキャビネットから遊離しているかどうかにかかわらず、ドアに電力を供給できる。
【００３８】
キャビネットフレームからキャビネットドアへの電気的導通の代替的実施形態は、フレームの端部及びドアの対応する端部に沿って配置された無線動力輸送エレメントを含んでもよく、電気エネルギーがフレームからドアに無線的に移動することを可能にする。他の実施形態では、図１４に示されるようなパッド接点及び／またはワイピング／ブッシング接点６０５、６１０の相補型組み合わせは、キャビネット６００のフレーム６２０及びドア６１５に提供されてもよい。この構成は、電気がフレーム６２０に配置された電源から接点６０５、６１０を通じて、ドアモジュール６７０へと流れることを可能にする。これらの相補型接点は、ドア６１５がフレーム６２０に隣接する垂直側の両方に沿って配置されることが好ましい。このケースでは、少なくとも１セットの相補型接点からキャビネットドアのどちら側が開いているかにかかわらず、片側は電気的接触を維持する。さらに、対応する接点パッドのワイピング／ブッシング接点のいずれかをドアの端部周囲に巻き付けることで、ドア６１５が旋回する間に相補型接点は電気的導通を維持できる。
【００３９】
本発明がいくつかの実施形態に関して記述されてきたが、これらの実施形態は限定するものではなく（例示的、またはそうでないと述べられたかどうかにかかわらず）、かつ本発明の範囲内にある変更、変形、及び同等物が存在することに留意されたい。さらに、記述された実施形態は互いに排他的なものとして解釈されるべきではなく、むしろそういった組み合わせが許容される場合、潜在的に組み合わせ可能であるものとして理解されるべきである。本発明の方法及び機器を実行する多くの代替的方法があることにも留意するべきである。したがって以下に続く特許請求の範囲は、本発明の真の趣旨及び範囲内にあるものとしてそういった変更、変形、及び同等物が全て含まれるものとして解釈されるべきである。
【符号の説明】
【００４０】
１００  キャビネット
１０５  電子機器
１１０  ゲートウェイ
１１２  資産管理アプリケーション
１１５  ドア
１２０  フレーム
１２５  電子ドアロック機構
１３０  キーパッド
１３５  タッチスクリーンディスプレイ
１４０  バッジリーダー
１４５  温度センサー
１５０  圧力センサー
１５５  湿度センサー
１５７  ドアロック
１６０  通信リンク
１６５  コンピューター
１７０  ドアモジュール
１７５  キーパッドセレクタスイッチ
１８０  温度センサーポート
１８５  標準センサーポート
１９０  リモートディスプレイポート
１９５  ドアロック制御ポート
２００  カードリーダーポート
２０５  リーダーポート
２１０  キーパッドポート
２１５  ドア接触ポート
２２０  照明アセンブリポート
２２５  ダウンリンクポート
２４０  プリント回路基板
２７５  ドアモジュール
２８０  後部ドア
２８５  中間機器
２９５  ゲートウェイ
３０３  ケーブル
３０５  中間機器
３１０  ドアモジュール
３１５  コネクタ
３２５  中間機器
３３０  コネクタ
３３５  ポート
３４０  シリアルケーブル
４００  キャビネット
４０５  電子機器
４１０  ゲートウェイ
４２０  キャビネットフレーム
４２５  電子ドアロック機構
４３５  タッチスクリーンディスプレイ
４４０  バッジリーダー
４４５  温度センサー
４５０  圧力センサー
４５５  湿度センサー
４７０  ドアモジュール
４８５  中間機器
５００  キャビネット
５１５  ドア
５２５  ポスト
５３０  ブッシング
５３５  ポスト支持部
５４０  ピン
５４５  ソケット
５４７  ワイヤ
５４９  バネ
６００  キャビネット
６１５  ドア
６２０  フレーム
６７０  ドアモジュール
【図１】
0006506405.tif 000002
【図２】
0006506405.tif 000003
【図３】
0006506405.tif 000004
【図４】
0006506405.tif 000005
【図５ＡＡ】
0006506405.tif 000006
【図５ＡＢ】
0006506405.tif 000007
【図５ＡＣ】
0006506405.tif 000008
【図５ＡＤ】
0006506405.tif 000009
【図５ＡＥ】
0006506405.tif 000010
【図５ＡＦ】
0006506405.tif 000011
【図５ＡＧ】
0006506405.tif 000012
【図５ＢＡ】
0006506405.tif 000013
【図５ＢＢ】
0006506405.tif 000014
【図５ＢＣ】
0006506405.tif 000015
【図５ＢＤ】
0006506405.tif 000016
【図５ＢＥ】
0006506405.tif 000017
【図５ＢＦ】
0006506405.tif 000018
【図５ＣＡ】
0006506405.tif 000019
【図５ＣＢ】
0006506405.tif 000020
【図５ＣＣ】
0006506405.tif 000021
【図５ＣＤ】
0006506405.tif 000022
【図５ＣＥ】
0006506405.tif 000023
【図５ＣＦ】
0006506405.tif 000024
【図５Ｄ】
0006506405.tif 000025
【図５ＥＡ】
0006506405.tif 000026
【図５ＥＢ】
0006506405.tif 000027
【図５ＦＡ】
0006506405.tif 000028
【図５ＦＢ】
0006506405.tif 000029
【図５ＦＣ】
0006506405.tif 000030
【図５ＦＤ】
0006506405.tif 000031
【図５ＦＥ】
0006506405.tif 000032
【図５ＦＦ】
0006506405.tif 000033
【図５ＦＧ】
0006506405.tif 000034
【図５ＧＡ】
0006506405.tif 000035
【図５ＧＢ】
0006506405.tif 000036
【図５ＨＡ】
0006506405.tif 000037
【図５ＨＢ】
0006506405.tif 000038
【図５ＨＣ】
0006506405.tif 000039
【図５ＨＤ】
0006506405.tif 000040
【図５ＨＥ】
0006506405.tif 000041
【図６】
0006506405.tif 000042
【図７】
0006506405.tif 000043
【図８】
0006506405.tif 000044
【図９】
0006506405.tif 000045
【図１０】
0006506405.tif 000046
【図１１】
0006506405.tif 000047
【図１２】
0006506405.tif 000048
【図１３Ａ】
0006506405.tif 000049
【図１３Ｂ】
0006506405.tif 000050
【図１３Ｃ】
0006506405.tif 000051
【図１３Ｄ】
0006506405.tif 000052
【図１３Ｅ】
0006506405.tif 000053
【図１３Ｆ】
0006506405.tif 000054
【図１４】
0006506405.tif 000055